(57)【要約】【課題】テレビジョン受像機において、リモートコントローラを用いることなく、遠隔操作することができるようにする。【解決手段】ＣＣＤカメラによって撮像された画像データから、視聴者による第１の手腕動作を認識したとき（＃１においてＹＥＳ）、ＣＰＵは、テレビジョン受像機の電源をオンし（＃２）、画像音声出力部に操作参照画面を表示させる（＃３）。その後、操作参照画面を確認した視聴者による第２の手腕動作を認識したとき（＃４においてＹＥＳ）、受信チャンネルを変更する（＃５）。そして、視聴者による第３の手腕動作を認識したとき（＃６においてＹＥＳ）、操作参照画面を非表示とし、画像音声出力部にチューナによって受信された番組の映像を表示させる（＃７）。その後、視聴者による第１の手腕動作を認識したとき（＃８においてＹＥＳ）、テレビジョン受像機をスタンバイ状態に戻して（＃９）、処理を終了する。【選択図】図３
2006157379.tif 000002
【特許請求の範囲】
【請求項１】
テレビジョン放送信号を受信するチューナと、このチューナによって受信された放送信号を処理して映像信号及び音声信号に分離する映像音声信号処理手段と、この映像音声信号処理手段によって分離された映像信号及び映像信号を出力する映像音声出力手段と、この映像音声出力手段の周辺を撮像して電気的な画像データを出力する撮像手段と、この撮像手段をパン駆動及びズーム駆動するための駆動手段と、前記撮像手段によって撮像された画像データを記憶する記憶手段と、この記憶手段によって記憶された画像データをインターネットを介してサーバにアップロードする通信処理手段と、上記各部を制御する制御手段とを備え、安全監視機能を有するテレビジョン受像機において、
前記制御手段は、
前記撮像手段によって撮像された画像データに基いて視聴者の存否を判定し、
該撮像手段によって撮像された画像データの中に視聴者が存在するとき、該視聴者を該撮像手段の視野の略中央部において所定のサイズに拡大／縮小して撮像するために前記駆動手段を制御し、
前記撮像手段によって撮像された画像データに基いて、前記視聴者の動作を監視して、
前記視聴者が第1の動作を行うごとに、テレビジョン受像機の電源を交互にオン／オフし、
前記視聴者が第２の動作を行ったとき、該第２の動作に対応する特定の処理を実行し、
前記視聴者が第３の動作を行うごとに、前記第２の動作に関する情報と、それに対応する前記特定の処理に関する情報とを関連付けて表示する操作参照画面を前記映像音声出力手段に交互に表示／非表示させ、
ユーザがテレビジョン受像機に向って所定の動作を行うことにより、遠隔操作できるようにしたことを特徴とするテレビジョン受像機。
【請求項２】
テレビジョン放送信号を受信するチューナと、このチューナによって受信された放送信号を処理して映像信号及び音声信号に分離する映像音声信号処理手段と、この映像音声信号処理手段によって分離された映像信号及び映像信号を出力する映像音声出力手段と、この映像音声出力手段の周辺を撮像して電気的な画像データを出力する撮像手段と、前記撮像手段によって撮像された画像データを記憶する記憶手段と、この記憶手段によって記憶された画像データをインターネットを介してサーバにアップロードする通信処理手段と、上記各部を制御する制御手段とを備え、安全監視機能を有するテレビジョン受像機において、
前記制御手段は、
該撮像手段によって撮像された画像データの中に視聴者が存在するとき、前記撮像手段によって撮像された画像データに基いて、前記視聴者の動作を監視して、
前記視聴者が第1の動作を行うごとに、テレビジョン受像機の電源を交互にオン／オフし、
前記視聴者が第２の動作を行ったとき、該第２の動作に対応する特定の処理を実行し、
前記視聴者が第３の動作を行うごとに、前記第２の動作に関する情報と、それに対応する前記特定の処理に関する情報とを関連付けた操作参照画面を前記映像音声出力手段に交互に表示／非表示させ、
ユーザがテレビジョン受像機に向って所定の動作を行うことにより、遠隔操作できるようにしたことを特徴とするテレビジョン受像機。
【発明の詳細な説明】
【技術分野】
【０００１】
本発明は、遠隔操作機能を有するテレビジョン受像機に関するものである。
【背景技術】
【０００２】
従来から、テレビジョン受像機は、ユーザの操作に応じて所定の赤外線信号を発光するリモートコントローラによって遠隔操作できるように構成されている。一方、撮像装置を備え、安全監視機能を有するテレビジョン受像機においても、リモートコントローラが標準装備されており、テレビジョン受像機のコストダウンを阻む要因となっている。また、テレビジョン受像機内には、リモートコントローラが発した赤外線信号を受光するための受光装置を設ける必要があるため、これもまたテレビジョン受像機のコストダウンや小型化を阻む要因となっている。さらに、リモートコントローラは、遠隔操作が容易で便利な反面、紛失や内蔵電池の消耗といった非常時に使用できないという問題がある。
【０００３】
なお、特許文献１及び特許文献２には、表示装置の前方に配設されたテレビカメラによって撮像された人物の指先位置を検出することにより、各種の指令を入力可能にした入力装置が示されている。
【特許文献１】特開２０００−１８１６０１号公報
【特許文献２】特開２０００−１８７５５１号公報
【発明の開示】
【発明が解決しようとする課題】
【０００４】
本発明は、上記課題を解決するためになされたものであり、リモートコントローラを用いることなく、遠隔操作することができるテレビジョン受像機を低コストで提供することを目的とする。
【課題を解決するための手段】
【０００５】
上記目的を達成するために請求項１の発明は、テレビジョン放送信号を受信するチューナと、このチューナによって受信された放送信号を処理して映像信号及び音声信号に分離する映像音声信号処理手段と、この映像音声信号処理手段によって分離された映像信号及び映像信号を出力する映像音声出力手段と、この映像音声出力手段の周辺を撮像して電気的な画像データを出力する撮像手段と、この撮像手段をパン駆動及びズーム駆動するための駆動手段と、前記撮像手段によって撮像された画像データを記憶する記憶手段と、この記憶手段によって記憶された画像データをインターネットを介してサーバにアップロードする通信処理手段と、上記各部を制御する制御手段とを備え、安全監視機能を有するテレビジョン受像機において、前記制御手段は、前記撮像手段によって撮像された画像データに基いて視聴者の存否を判定し、該撮像手段によって撮像された画像データの中に視聴者が存在するとき、該視聴者を該撮像手段の視野の略中央部において所定のサイズに拡大／縮小して撮像するために前記駆動手段を制御し、前記撮像手段によって撮像された画像データに基いて、前記視聴者の動作を監視して、前記視聴者が第1の動作を行うごとに、テレビジョン受像機の電源を交互にオン／オフし、前記視聴者が第２の動作を行ったとき、該第２の動作に対応する特定の処理を実行し、前記視聴者が第３の動作を行うごとに、前記第２の動作に関する情報と、それに対応する前記特定の処理に関する情報とを関連付けて表示する操作参照画面を前記映像音声出力手段に交互に表示／非表示させ、ユーザがテレビジョン受像機に向って所定の動作を行うことにより、遠隔操作できるようにしたものである。
【０００６】
請求項２の発明は、テレビジョン放送信号を受信するチューナと、このチューナによって受信された放送信号を処理して映像信号及び音声信号に分離する映像音声信号処理手段と、この映像音声信号処理手段によって分離された映像信号及び映像信号を出力する映像音声出力手段と、この映像音声出力手段の周辺を撮像して電気的な画像データを出力する撮像手段と、前記撮像手段によって撮像された画像データを記憶する記憶手段と、この記憶手段によって記憶された画像データをインターネットを介してサーバにアップロードする通信処理手段と、上記各部を制御する制御手段とを備え、安全監視機能を有するテレビジョン受像機において、前記制御手段は、該撮像手段によって撮像された画像データの中に視聴者が存在するとき、前記撮像手段によって撮像された画像データに基いて、前記視聴者の動作を監視して、前記視聴者が第1の動作を行うごとに、テレビジョン受像機の電源を交互にオン／オフし、前記視聴者が第２の動作を行ったとき、該第２の動作に対応する特定の処理を実行し、前記視聴者が第３の動作を行うごとに、前記第２の動作に関する情報と、それに対応する前記特定の処理に関する情報とを関連付けた操作参照画面を前記映像音声出力手段に交互に表示／非表示させ、ユーザがテレビジョン受像機に向って所定の動作を行うことにより、遠隔操作できるようにしたものである。
【発明の効果】
【０００７】
請求項１の発明によれば、部屋の安全を監視するための撮像手段を使用して視聴者を撮像し、視聴者の動作に基いてテレビジョン受像機を遠隔操作できるように構成しているので、新たな部品を追加することなく、リモートコントローラを不要とすることができ、テレビジョン受像機の製造コストを大幅に削減できるようになる。また、リモートコントローラを標準装備するテレビジョン受像機においても、非常時にリモートコントローラを用いることなく、テレビジョン受像機を操作することができる。また、ユーザは第1の動作によって、テレビジョン受像機の電源をオン/オフすることができ、第３の動作によって、第２の動作についての操作参照画面を表示／非表示させることができる。従って、ユーザは最低限第1及び第３の動作を覚えるだけで、他の動作は上記第３の動作によって表示させた操作参照画面を参照しながら確実に実行でき、初心者や老人等にとっても使い勝手のよいテレビジョン受像機を提供することができる。また、駆動手段によって撮像手段を駆動することにより、視聴者を撮像手段の視野の略中央部において所定のサイズで撮像するので、テレビジョン受像機と視聴者との位置関係に関わらず、視聴者の動作を正確に監視することができる。これにより、各動作の誤認を防止することができる。
【０００８】
請求項２の発明によれば、部屋の安全を監視するための撮像手段を使用して視聴者を撮像し、視聴者の動作に基いてテレビジョン受像機を遠隔操作できるように構成しているので、リモートコントローラが不要となり、テレビジョン受像機の製造コストを大幅に削減することができる。また、リモートコントローラを標準装備するテレビジョン受像機においても、非常時にリモートコントローラを用いることなく、テレビジョン受像機を操作することができる。また、ユーザは第1の動作によって、テレビジョン受像機の電源をオン/オフすることができ、第３の動作によって、第２の動作についての操作参照画面を表示／非表示させることができる。従って、ユーザは最低限第1及び第３の動作を覚えるだけで、他の動作は上記第３の動作によって表示させた操作参照画面を参照しながら確実に実行でき、初心者や老人等にとっても使い勝手のよいテレビジョン受像機を提供することができる。
【発明を実施するための最良の形態】
【０００９】
本発明を実施するための最良の形態について図面を参照して説明する。図１はテレビジョン受像機の構成を示している。テレビジョン受像機１は、テレビジョン放送信号を受信するチューナ２と、チューナ２によって受信された放送信号を復調するデコーダ３と、デコーダ３によって復調された放送信号を映像信号及び音声信号に分離する映像音声信号処理部（映像音声信号処理手段）４と、映像音声信号処理部４によって分離された映像信号及び映像信号を出力する映像音声出力部（映像音声出力手段）５と映像音声出力部５の周辺を撮像して電気的な画像データに変換して出力するＣＣＤカメラ（撮像手段）６と、ＣＣＤカメラ６をパン駆動又はズーム駆動するためのカメラ駆動手段１０と、ＣＣＤカメラ６によって撮像された画像データを記憶するメモリ（記憶手段）７と、通信処理を行う通信処理部（通信処理手段）８と、上記各部を制御するＣＰＵ（制御手段）９とを有している。
【００１０】
通信処理部８は、インターネット１２を介してサーバ１３に接続されており、常時又は必要に応じて適宜インターネット１２に接続して、メモリ７が記憶した画像データをサーバ１３にアップロードする。ユーザは、手持ちの携帯電話機又はパーソナルコンピュータを用いてインターネット１２を介してサーバ１３にアクセスすることにより、アップロードされた画像、すなわちテレビジョン受像機１が設置されている部屋の様子を確認することができる。
【００１１】
テレビジョン受像機１においては、部屋の安全を監視するためのＣＣＤカメラ６を使用して視聴者を撮像し、その画像データをＣＰＵ９によって解析することによって認識した視聴者の動作に基いて、リモートコントローラを使用することなく遠隔操作できるように構成されている。視聴者が行う所定の動作は、従来のリモートコントローラによって入力する指令、すなわちテレビジョン受像機１の備える機能を利用するために入力すべき指令に対して予め関連付けられている。従って、視聴者は、所望の指令に対応する所定の動作をテレビジョン受像機のＣＣＤカメラ６に向って行うことにより、テレビジョン受像機１を遠隔操作することができる。例えば、視聴者がＣＣＤカメラ６に向って両手を振り上げる動作を行ったとき、その動作がＣＣＤカメラ６によって撮像され、ＣＰＵ９によって認識されることにより、従来のリモートコントローラの電源キーを操作した場合と同様に、テレビジョン受像機１の電源を交互にオン／オフすることができる。
【００１２】
なお、テレビジョン受像機１の電源がオフであっても部屋の安全監視を継続するために、ＣＣＤカメラ６、カメラ駆動部１０、ＣＰＵ９等には常時電力が供給されている。従って、ＣＣＤカメラ６は、テレビジョン受像機１の電源がオフであっても、継続的に視聴者を撮像することができる。また、ＣＰＵ９がユーザの動作を誤って認識しないように、ユーザがＣＣＤカメラ６に向って行う動作は、例えば、指先を動かすような小さな動作ではなく、腕全体を動かすような大きな動作であることが望ましい。以下、このようなテレビジョン受像機１を遠隔操作するために腕全体を動かす動作を手腕動作とする。
【００１３】
図２は、ＣＣＤカメラ６によって撮像された画像を示している。ＣＣＤカメラ６は、例えば、数フレーム／秒の画像を撮像し、ＣＰＵ９は、ＣＣＤカメラ６によって撮像された画像の変化から視聴者の有無や手腕動作を認識する。具体的には、（ａ）においてＣＰＵ９は、ＣＣＤカメラ６によって撮像された画像を解析して、視聴者２０の存否を判別し、視聴者２０が存在する場合、その方向とテレビジョン受像機１からの距離を算出する。そして、（ｂ）に示すように、ＣＰＵ９は、算出した視聴者２０の方向と距離に応じて、カメラ駆動部１０を駆動して、視聴者２０をＣＣＤカメラ６の視野の略中央部において所定のサイズに拡大／縮小して撮像する。この状態で、視聴者２０が（ｃ）に示すように、右手を上下に振り回す動作を行ったとき、ＣＰＵ９は、各フレーム間における画像の変化から視聴者２０の動作が予め定められているテレビジョン受像機１の各種の機能に対応する手腕動作に該当するか否かを判定する。視聴者２０の動作がそのような手腕動作であれば、ＣＰＵ９は対応する機能を有効にする。
【００１４】
次に、テレビジョン受像機１がスタンバイ状態にあるとき、ユーザの手腕動作に対応するＣＰＵ９の処理について、図３を参照して説明する。このスタンバイ状態では、上述したように、部屋の安全を監視するためにＣＣＤカメラ６及びＣＰＵ９等は常時稼動している。ＣＣＤカメラ６によって撮像された画像データから、第１の手腕動作を認識したとき（＃１においてＹＥＳ）、ＣＰＵ９は、テレビジョン受像機１の電源をオンし（＃２）、画像音声出力部５に操作参照画面を表示させる（＃３）。ここでいう操作参照画面とは、後述する第２の手腕動作とそれに対応する特定の処理とを関連付けた情報を表示する画面であり、この操作参照画面には、必要に応じてＣＣＤカメラ６で撮像した画像、又はチューナ２によって受信した番組の映像が重畳される。視聴者２０は、この操作参照画面によって入力したい操作指令に対応する手腕動作を確認することができる。そして、ＣＰＵ９は、視聴者２０による第２の手腕動作を認識したとき（＃４においてＹＥＳ）、第２の手腕動作に対応する指令を実行する。例えば、ＣＰＵ９はチューナ２の受信チャンネルを変更する（＃５）。さらに、ＣＰＵ９は、視聴者２０による第３の手腕動作を認識したとき（＃６においてＹＥＳ）、操作参照画面を非表示とし、画像音声出力部５にチューナ２が受信した番組の映像を表示させる（＃７）。これにより、視聴者は所望の番組を視聴可能になる。
【００１５】
その後、ＣＰＵ９は、視聴者２０による手腕動作を認識したとき（＃８においてＹＥＳ）、テレビジョン受像機１をスタンバイ状態に戻して（＃９）、処理を終了する。一方、視聴者２０による第１の手腕動作を認識する前に（＃８においてＮＯ）、第２の手腕動作を認識したとき（＃１０においてＹＥＳ）、ＣＰＵ９は、チューナ２の受信チャンネルを変更し（＃１１）、＃８に戻って、引き続き視聴者を監視する。また、視聴者２０による第２の手腕動作を認識することなく（＃１１においてＮＯ）、第３の手腕動作も認識しないときは（＃１２においてＹＥＳ）、＃３に戻って、引き続き視聴者を監視する。また、第３の手腕動作を認識しなかったときは（＃１２においてＮＯ）、＃８に戻って、引き続き視聴者を監視する。
【００１６】
以上のように、本実施形態のテレビジョン受像機１によれば、部屋の安全を監視するためのＣＣＤカメラ６を使用して視聴者２０を撮像し、視聴者２０の手腕動作に基いてテレビジョン受像機１を遠隔操作できるように構成しているので、新たな部品を追加することなくリモートコントローラを不要にすることができ、テレビジョン受像機１の製造コストを大幅に削減できるようになる。また、リモートコントローラを標準装備するテレビジョン受像機においても、非常時にリモートコントローラを用いることなく、テレビジョン受像機を操作することができる。また、ユーザは第１の手腕動作によって、テレビジョン受像機１の電源をオン/オフすることができ、第３の手腕動作によって、第２の手腕動作についての操作参照画面を表示／非表示させることができる。従って、ユーザは最低限第１及び第３の手腕動作を覚えるだけで、他の動作は上記第３の手腕動作によって表示させた操作参照画面を参照しながら確実に実行でき、初心者や老人等にとっても使い勝手のよいテレビジョン受像機１を提供することができる。また、カメラ駆動部１０によってＣＣＤカメラ６を駆動することにより、視聴者２０をＣＣＤカメラ６の視野の略中央部において所定のサイズで撮像するので、テレビジョン受像機１と視聴者２０との位置関係に関わらず、視聴者２０の動作を正確に監視することができる。これにより、視聴者がテレビジョン受像機１の近傍で指先を小さく動かすような動作と、テレビジョン受像機１から離れた場所で腕全体を大きく動かす動作とを正確に区別することができ、手腕動作の誤認を防止することができるようになる。
【００１７】
なお、本発明は上記実施形態の構成に限られることなく種々の変形が可能である。例えば、図３における第２の手腕動作はチャンネルを変更するための手腕動作に限られることなく、テレビジョン受像機１の音量を変更するための手腕動作、又はテレビジョン受像機１の画面の明るさを変更するための手腕動作等の特定の処理に対応する複数種類の動作を予め規定することができる。また、ＣＣＤカメラ６を複数台備えることにより、複数人の視聴者２０に対応することも可能である。
【図面の簡単な説明】
【００１８】
【図１】本発明の一実施形態によるテレビジョン受像機の構成を示すブロック図。
【図２】同受像機における画面の明るさ及び音量の制御データを変更するモードを選択するためのメニュー画面の一例を示す図。
【図３】第１のマップデータ変更モードにおいて、明るさ自動制御マップの制御データを変更するための表示画面を示す図。
【符号の説明】
【００１９】
１    テレビジョン受像機
２    チューナ
４    映像音声信号処理部（映像音声信号処理手段）
５    映像音声出力部（映像音声出力手段）
６    ＣＣＤカメラ（撮像手段）
７    メモリ（記憶手段）
８    通信処理部（通信処理手段）
９    ＣＰＵ（制御手段）
【図１】
2006157379.tif 000003
【図２】
2006157379.tif 000004
【図３】
2006157379.tif 000005